(57)【要約】【課題】希望する映像ファイルを指定するキーワードの手動入力の煩わしさ及び多くの文字情報の中から所望の映像ファイルに関するキーワードを読み取ることの必要のない音声をトリガとした映像配信システムを提供する。【解決手段】音声認識及びキーワード送信機能部３１は、認識したキーワードをサービスプロバイダ２に送信する。キーワード受信機能部２３は、複数のユーザ端末から送信されるキーワードを受信する。キーワード検索機能部２４は、データベース２２にアクセスし、各キーワードとキーワードの重み付けを検索し、検索したキーワードと映像ファイルをキーワードの重み付けに従って順位付けして映像ファイル配信機能部２５に送信する。映像ファイル配信機能部２５は、キーワードの重み付けに従い、音声によるキーワード入力をトリガとして、キーワードに関連する映像ファイルをユーザ端末３に配信する。【選択図】図１
2006311026.tif 000002
【特許請求の範囲】
【請求項１】
キーワード及び映像ファイルの配信を登録する企業端末と、
サービスプロバイダと、
前記キーワードを表す音声を認識し、認識したキーワードを前記サービスプロバイダに送信するユーザ端末とを具え、
前記サービスプロバイダが、
前記キーワード及び映像ファイルの登録要求を前記企業端末から受信するとともに、前記キーワードを重み付けする重み付け手段と、
前記映像ファイルを、前記重み付け手段によって重み付けされたキーワードとともに登録する登録手段と、
前記ユーザ端末によって認識されたキーワードを、前記ユーザ端末から受信するキーワード受信手段と、
前記キーワード受信手段によって受信されたキーワードについて、前記登録手段にアクセスし、各キーワードとキーワードの重み付けを検索し、検索したキーワードと前記映像ファイルを、前記キーワードの重み付けに従って順位付けする検索及び順位付け手段と、
前記検索及び順位付け手段によって検索されたキーワード及び順位付けされた映像ファイルを受信し、前記キーワードの重み付けに従い、前記音声によるキーワード入力をトリガとして、前記キーワードに関連する映像ファイルを前記ユーザ端末に配信する配信手段とを有することを特徴とする音声をトリガとした映像配信システム。
【請求項２】
キーワード及び映像ファイルの登録要求を受信するとともに、前記キーワードを重み付けする重み付け手段と、
前記映像ファイルを、前記重み付け手段によって重み付けされたキーワードとともに登録する登録手段と、
音声認識されたキーワードを受信するキーワード受信手段と、
前記キーワード受信手段によって受信されたキーワードについて、前記登録手段にアクセスし、各キーワードとキーワードの重み付けを検索し、検索したキーワードと前記映像ファイルを、前記キーワードの重み付けに従って順位付けする検索及び順位付け手段と、
前記検索及び順位付け手段によって検索されたキーワード及び順位付けされた映像ファイルを受信し、前記キーワードの重み付けに従い、前記音声によるキーワード入力をトリガとして、前記キーワードに関連する映像ファイルを配信する配信手段とを有することを特徴とするサービスプロバイダ。
【発明の詳細な説明】
【技術分野】
【０００１】
本発明は、エンドユーザが入力する音声入力キーワードをトリガとして、エンドユーザが指定する映像を配信する、音声をトリガとした映像配信システム及びそれに用いられるサービスプロバイダに関する。
【背景技術】
【０００２】
従来、この種の映像配信システム（例えばWeb検索システム）では、希望する映像ファイルのキーワードを手動入力し、多くの文字情報の中から所望のキーワードを読み取っている。
【発明の開示】
【発明が解決しようとする課題】
【０００３】
しかしながら、希望する映像ファイルのキーワードの手動入力は煩わしく、多くの文字情報の中から所望のキーワードを読み取るのが面倒である。
【０００４】
本発明の目的は、希望する映像ファイルを指定するキーワードの手動入力の煩わしさ及び多くの文字情報の中から所望の映像ファイルに関するキーワードを読み取ることの必要のなくエンドユーザの希望する映像の配信を実現する、音声をトリガとした映像配信システム及びそれに用いられるサービスプロバイダを提供することである。
【課題を解決するための手段】
【０００５】
本発明による音声をトリガとした映像配信システムは、
キーワード及び映像ファイルの配信を登録する企業端末と、
サービスプロバイダと、
前記キーワードを表す音声を認識し、認識したキーワードを前記サービスプロバイダに送信するユーザ端末とを具え、
前記サービスプロバイダが、
前記キーワード及び映像ファイルの登録要求を前記企業端末から受信するとともに、前記キーワードを重み付けする重み付け手段と、
前記映像ファイルを、前記重み付け手段によって重み付けされたキーワードとともに登録する登録手段と、
前記ユーザ端末によって認識されたキーワードを、前記ユーザ端末から受信するキーワード受信手段と、
前記キーワード受信手段によって受信されたキーワードについて、前記登録手段にアクセスし、各キーワードとキーワードの重み付けを検索し、検索したキーワードと前記映像ファイルを、前記キーワードの重み付けに従って順位付けする検索及び順位付け手段と、
前記検索及び順位付け手段によって検索されたキーワード及び順位付けされた映像ファイルを受信し、前記キーワードの重み付けに従い、前記音声によるキーワード入力をトリガとして、前記キーワードに関連する映像ファイルを前記ユーザ端末に配信する配信手段とを有することを特徴とする。
【０００６】
本発明によるサービスプロバイダは、
キーワード及び映像ファイルの登録要求を受信するとともに、前記キーワードを重み付けする重み付け手段と、
前記映像ファイルを、前記重み付け手段によって重み付けされたキーワードとともに登録する登録手段と、
音声認識されたキーワードを受信するキーワード受信手段と、
前記キーワード受信手段によって受信されたキーワードについて、前記登録手段にアクセスし、各キーワードとキーワードの重み付けを検索し、検索したキーワードと前記映像ファイルを、前記キーワードの重み付けに従って順位付けする検索及び順位付け手段と、
前記検索及び順位付け手段によって検索されたキーワード及び順位付けされた映像ファイルを受信し、前記キーワードの重み付けに従い、前記音声によるキーワード入力をトリガとして、前記キーワードに関連する映像ファイルを配信する配信手段とを有することを特徴とする。
【発明の効果】
【０００７】
本発明によれば、キーワード及び映像ファイルの登録要求を受信するとともに、キーワードを重み付けし、映像ファイルを、重み付け手段によって重み付けされたキーワードとともに登録し、音声認識されたキーワードについて、登録手段にアクセスし、各キーワードとキーワードの重み付けを検索し、検索したキーワードと映像ファイルを、キーワードの重み付けに従って順位付けし、キーワードの重み付けに従い、音声によるキーワード入力をトリガとして、キーワードに関連する映像ファイルを配信する。
【０００８】
これによって、従来のWeb検索システムなどのように希望する映像ファイルを指定するキーワードの手動入力の煩わしさ及び多くの文字情報の中から所望の映像ファイルに関するキーワードを読み取ることが必要でなくキーワード及びそれに関連する映像ファイルの登録促進を図ることができる。
【発明を実施するための最良の形態】
【０００９】
本発明による音声をトリガとした映像配信システム及びそれに用いられるサービスプロバイダの実施の形態を、図面を参照して詳細に説明する。
図1は、本発明による音声をトリガとした映像配信システムの実施の形態を説明するための図である。図１において、１は、キーワード及び映像ファイルの配信を登録する企業端末を表し、２は、サービスプロバイダを表し、３は、ユーザ端末を表し、４は、ネットワークを表す。
【００１０】
また、２１は、キーワード登録部及び重み付け機能部を表し、２２は、キーワード及び映像ファイルデータベースを表し、２３は、キーワード受信機能部を表し、２４は、キーワード検索機能部を表し、２５は、映像ファイル配信機能部を表し、３１は、音声認識及びキーワード送信機能部を表す。
【００１１】
企業端末１は、サービスプロバイダ２のキーワード登録及び重み付け機能部２１に接続され、キーワード登録及び重み付け機能部２１は、キーワード及び映像ファイルデータベース２２に接続され、ユーザ端末３の音声認識及びキーワード送信機能部３１は、サービスプロバイダ２のキーワード受信機能部２３に接続され、キーワード受信機能部２３は、キーワード検索機能部２４に接続され、サービスプロバイダ２のキーワード検索機能部２４は、キーワード及び映像ファイルデータベース２２並びに映像ファイル配信機能部２５に接続され、映像ファイル配信機能部２５は、ユーザ端末３に接続される。
【００１２】
図１に示す音声をトリガとした映像配信システムは、ユーザが音声により入力したキーワードをトリガとして、企業が登録した映像ファイルのうちのユーザが希望するものを、キーワードに重み付けされた順位に従い、例えばユーザ端末３に配信する。
【００１３】
キーワード及び映像ファイルの登録は有料と無料のいずれでも行うことができる。登録を有料で行う場合、キーワードへの重み付けをキーワード及び映像ファイルの登録料の金額に従って行い、登録を無料で行う場合、キーワードの重み付けを最低レベルとする。
【００１４】
図２は、本発明による音声をトリガとした映像配信システムの実施の形態の動作を説明するための図である。
この場合、先ず、ステップＳ１において、キーワード登録及び重み付け機能２１は、キーワード及び映像ファイルの登録要求を企業端末１から受信し、キーワードを重み付けして、映像ファイルとともにデータベース２２に登録する。
【００１５】
次いで、ステップＳ２において、ユーザがユーザ端末３から音声によりキーワードを入力すると、音声認識及びキーワード送信機能部３１は、キーワードを表す音声を認識し、認識したキーワードを、ネットワーク４を介してサービスプロバイダ２に送信する。
【００１６】
次いで、ステップＳ３において、キーワード受信機能部２３は、一定時間内に、複数のユーザ端末（例えば、ユーザ端末３）から送信されるキーワードを、ネットワーク４を介して受信する。
【００１７】
次いで、ステップＳ４において、キーワード検索機能部２４は、複数のユーザ端末（例えばユーザ端末３）から受信したキーワードについてデータベース２２にアクセスし、各キーワードとキーワードの重み付けを検索し、検索したキーワードと映像ファイルをキーワードの重み付けに従って順位付けして映像ファイル配信機能部２５に送信する。
【００１８】
次いで、ステップＳ５において、映像ファイル配信機能部２５は、キーワードの重み付けに従い、音声によるキーワード入力をトリガとして、キーワードに関連する映像ファイルを、ネットワーク4を介して、キーワードを送信したユーザ端末３などに配信する。なお、キーワードに関連する映像ファイルを自由に入れ替えることもできる。
【００１９】
図３は、本発明による音声をトリガとした映像配信システムの実施の形態の動作におけるキーワードの重み付けに従う映像ファイルの配信順位を示す図である。この場合、Ｋは、キーワードを表し、Ｗは、キーワードの重み付けを表し、Ｖは、映像ファイルを表し、Ｗｐｑ（ｐ及びｑは整数）は、キーワードＫｐ（ｐはキーワードの識別子）の重み付けqを表し、Ｖｐｑは、映像ファイルＶｐの配信順位ｑを表す。
【００２０】
図３において、ユーザがユーザ端末３を介して音声入力によりキーワードＫ２をトリガとした場合、Ｖ２１，Ｖ２２，・・・の順で映像がユーザ端末３に配信される。
【００２１】
本発明は、上記実施の形態に限定されるものではなく、幾多の変更及び変形が可能である。
【産業上の利用可能性】
【００２２】
本発明は、音声をトリガとする情報検索や、配信システムとしての実用化の可能性がある。
【図面の簡単な説明】
【００２３】
【図１】本発明による音声をトリガとした映像配信システムの実施の形態を説明するための図である。
【図２】本発明による音声をトリガとした映像配信システムの実施の形態の動作を説明するための図である。
【図３】本発明による音声をトリガとした映像配信システムの実施の形態の動作におけるキーワードの重み付けに従う映像ファイルの配信順位を示す図である。
【符号の説明】
【００２４】
１  企業端末
２  サービスプロバイダ
３  ユーザ端末
４  ネットワーク
２１  キーワード登録部及び重み付け機能部
２２  キーワード及び映像ファイルデータベース
２３  キーワード受信機能部
２４  キーワード検索機能部
２５  映像ファイル配信機能部
３１  音声認識及びキーワード送信機能部
【図１】
2006311026.tif 000003
【図２】
2006311026.tif 000004
【図３】
2006311026.tif 000005